【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
システムであって、
コンピュータ実行可能コンポーネントを記憶するメモリと、
前記メモリに記憶されている前記コンピュータ実行可能コンポーネントを実行するプロセッサと
を備え、前記コンピュータ実行可能コンポーネントは、
コンピューティング・デバイスのシステム状態を前記コンピューティング・デバイスの擬似システム状態として再作成するフレームワークコンポーネントであり、前記擬似システム状態は、前記コンピューティング・デバイスの元の動作状態から切り離され、前記元の動作状態から抽象化されたデータを含み、前記抽象化されたデータは、前記コンピューティング・デバイスの動作を模倣する、前記フレームワークコンポーネントと、
前記擬似システム状態を作成し、前記擬似システム状態上でのソフトウェアのブラック・ボックス実行を促進する生成コンポーネントであり、前記ソフトウェアのブラック・ボックス実行は、アプリケーションが前記コンピューティング・デバイスの前記元の動作状態において実行しているかのように、前記擬似システム状態において前記アプリケーションを作動させることを含む、前記生成コンポーネントと
を含む、システム。
【請求項２】
前記コンピュータ実行可能コンポーネントは、
前記擬似システム状態に応答して１つまたは複数のイベント通知を生成する通知コンポーネントをさらに含み、前記１つまたは複数のイベント通知は、前記コンピューティング・デバイスの前記元の動作状態から切り離される、請求項１に記載のシステム。
【請求項３】
前記コンピュータ実行可能コンポーネントは、
前記コンピューティング・デバイスの１つまたは複数の更新された擬似システム状態を作成する増強コンポーネントをさらに含み、前記通知コンポーネントは、前記１つまたは複数の更新された擬似システム状態に応答して、前記１つまたは複数のイベント通知のうちの１つのイベント通知を生成する、請求項２に記載のシステム。
【請求項４】
前記フレームワークコンポーネントは遡及的に、前記コンピューティング・デバイスの前記システム状態から前記擬似システム状態を作成し、前記コンピューティング・デバイスにソフトウェア・アプリケーションをインストールすることなく前記システムの処理効率を増大させる、請求項１に記載のシステム。
【請求項５】
前記コンピュータ実行可能コンポーネントは、ポータブル・オペレーティング・システム・インターフェース・プロトコルに準拠するインターフェースを介して前記擬似システム状態をレンダリングする出力コンポーネントをさらに含む、請求項１に記載のシステム。
【請求項６】
前記コンピュータ実行可能コンポーネントは、
前記コンピューティング・デバイスの前記システム状態と関連付けられるデータを累積する集約コンポーネントと、
前記コンピューティング・デバイスの前記システム状態に関係する１つまたは複数の解析を収集する解析コンポーネントであって、前記１つまたは複数の解析は、前記集約コンポーネントによって累積される前記データから独立して、前記解析コンポーネントによって収集され、前記フレームワークコンポーネントは、前記データおよび前記１つまたは複数の解析を、前記擬似システム状態に組み込む、前記解析コンポーネントと
をさらに含む、請求項１に記載のシステム。
【請求項７】
前記コンピューティング・デバイスは、第１のコンピューティング・デバイスであり、前記擬似システム状態は、第１の擬似システム状態であり、前記フレームワークコンポーネントは、前記第１の擬似システム状態および少なくとも第２のコンピューティング・デバイスの少なくとも第２の擬似状態を含む擬似システム状態のグローバル・ビューを作成し、前記擬似システム状態の前記グローバル・ビューは、１つまたは複数のコンピューティング・システムにわたって見ることが可能である、請求項１に記載のシステム。
【請求項８】
前記コンピュータ実行可能コンポーネントは、
システム・デバイスの複数のインスタンスにわたるアプリケーションおよびソフトウェアの多重化を可能にする編成コンポーネントをさらに含み、前記システム・デバイスは、前記コンピューティング・デバイスを含む、請求項１に記載のシステム。
【請求項９】
コンピュータ実施方法であって、
プロセッサに動作可能に結合されているシステムによって、コンピューティング・デバイスのシステム状態を前記コンピューティング・デバイスの擬似システム状態として再作成することであり、前記擬似システム状態は、前記コンピューティング・デバイスの元の動作状態から切り離され、前記元の動作状態から抽象化されたデータを含み、前記抽象化されたデータは、前記コンピューティング・デバイスの動作を模倣する、前記再作成することと、
前記システムによって、前記擬似システム状態を作成し、前記擬似システム状態上でのソフトウェアのブラック・ボックス実行を促進することと
を含み、前記ブラック・ボックス実行は、アプリケーションが前記コンピューティング・デバイスの前記元の動作状態において実行しているかのように、前記擬似システム状態において前記アプリケーションを作動させることを含む、コンピュータ実施方法。
【請求項１０】
クラウド・コンピューティング・データの擬似システムとしての表現および解析を促進するコンピュータ・プログラムであって、プロセッサに、
コンピューティング・デバイスのシステム状態を前記コンピューティング・デバイスの擬似システム状態として再作成することであり、前記擬似システム状態は、前記コンピューティング・デバイスの元の動作状態から切り離され、前記元の動作状態から抽象化されたデータを含み、前記抽象化されたデータは、前記コンピューティング・デバイスの動作を模倣する、前記再作成することと、
前記擬似システム状態を作成し、前記擬似システム状態上でのソフトウェアのブラック・ボックス実行を促進することと
を行わせるように前記プロセッサによって実行可能であり、前記ブラック・ボックス実行は、アプリケーションが前記コンピューティング・デバイスの前記元の動作状態において実行しているかのように、前記擬似システム状態において前記アプリケーションを作動させることと、を実行させるためのプログラム。
【請求項１１】
システムであって、
コンピュータ実行可能コンポーネントを記憶するメモリと、
前記メモリに記憶されている前記コンピュータ実行可能コンポーネントを実行するプロセッサと
を備え、前記コンピュータ実行可能コンポーネントは、
１つまたは複数の計算エンティティ・デバイスのそれぞれのヒューズ・ファイルシステムからのデータ収集デバイス・フレームを使用して前記１つまたは複数の計算エンティティ・デバイスのそれぞれの擬似システム状態を遡及的に作成するフレームワークコンポーネントと、
前記それぞれの擬似システム状態を継続的に更新する増強コンポーネントと、
前記それぞれの擬似システム状態上でのアプリケーションのブラック・ボックス実行を促進する生成コンポーネントであり、前記アプリケーションは、前記１つまたは複数の計算エンティティ・デバイス上での実行を模倣するために前記それぞれの擬似システム状態において実行される、前記生成コンポーネントと
を含む、システム。
【請求項１２】
コンピュータ実施方法であって、
プロセッサに動作可能に結合されているシステムによって、１つまたは複数の計算エンティティ・デバイスのそれぞれのヒューズ・ファイルシステムからのデータ収集デバイス・フレームを使用して前記１つまたは複数の計算エンティティ・デバイスのそれぞれの擬似システム状態を遡及的に作成することと、
前記システムによって、前記それぞれの擬似システム状態を継続的に更新することと、
前記システムによって、前記それぞれの擬似システム状態上でのアプリケーションのブラック・ボックス実行を促進することであり、前記アプリケーションは、前記１つまたは複数の計算エンティティ・デバイス上での実行を模倣するために前記それぞれの擬似システム状態において実行され、前記それぞれの擬似システム状態はポータブル・オペレーティング・システム・インターフェースに準拠する、前記促進することと
を含む、コンピュータ実施方法。
【請求項１３】
前記システムによって、前記それぞれの擬似システム状態に応答する１つまたは複数のイベント通知機能を構築することをさらに含む、請求項１２に記載のコンピュータ実施方法。